(57)【要約】【課題】  画像表示機能付き双眼鏡に観察対象に関わる画像情報を表示する。【解決手段】  双眼鏡１０にＬＣＤ１２と、カードスロット１９を設ける。カードスロット１９に装着されるＩＣメモリカードに、観察対象となる鳥に関わる画像データや音声データを格納する。双眼鏡１０において観察対象となる鳥を、季節、場所、大きさ等の属性に基づくカテゴリに分類する。これらのカテゴリを階層的に構成し、この構成にしたがってＩＣメモリカードのディレクトリ構造を構成する。ディレクトリ構造の末端のフォルダに、対応する画像データや音声ファイルを配置する。観察している鳥が属するカテゴリを矢印キー１７Ｒ、１７Ｌ、１７Ｕ、１７Ｄを用いて順次選択することにより末端のフォルダを選択し、これに含まれる画像データをマルチ画面としてＬＣＤ１２に表示する。【選択図】        図１
2005078039.tif 000002
【特許請求の範囲】
【請求項１】
観察対象物の種々の属性に基づき分類される所定のカテゴリごとに形成された階層ディレクトリ構造を有し、前記階層ディレクトリの最上位のカテゴリが複数の図鑑に対応したディレクトリとして構成され、前記観察対象物の種類を特定する第１の画像データからなる参照用データ群が最下位ディレクトリの各々に格納されるとともに、各ディレクトリの各々を表わす第２の画像データからなるガイド用データ群が格納される記録媒体と、
画像を表示するための画像表示手段と、
手動操作部材の操作に対応して、前記階層ディレクトリ構造に沿って各ディレクトリを指定してカレントフォルダを移動するカレントフォルダ移動手段と、
前記ガイド用画像データ群の中から、前記カレントフォルダ移動手段が指定するディレクトリに対応した第２画像を前記画像表示手段に表示させる一方、前記設定手段が最下位ディレクトリを指定している場合は、前記手動操作部材の操作に応じて、その最下位ディレクトリ内に属する参照用データ群を順次読み出して前記画像表示手段に表示させる第１の制御手段と、
前記図鑑に対応するディレクトリの数を計数する図鑑計数手段と、
計数された前記図鑑の数に基づいて、前記複数の図鑑に対応する第２の画像データを前記画像表示手段にマルチ画面として表示するマルチ画面表示手段と
を備えることを特徴とする画像表示機能付き観察用光学機器。
【請求項２】
前記参照用データ群が、前記第１の画像データに関連する関連情報データを有することを特徴とする請求項１に記載の画像表示機能付き観察用光学機器。
【請求項３】
音声ファイルを再生して発音させる音声再生手段を有するとともに、前記関連情報データが音声データを有し、前記制御手段は、前記手動操作部材により音声データが選択された場合は、音声データを前記音声再生手段により再生させることを特徴とする請求項２に記載の画像表示機能付き観察用光学機器。
【請求項４】
前記観察対象物に鳥または花が含まれ、前記図鑑として鳥の図鑑または花の図鑑が含まれることを特徴とする請求項１に記載の画像表示機能付き観察用光学機器。
【請求項５】
前記カテゴリが四季に関するカテゴリを含むことを特徴とする請求項４に記載の画像表示機能付き観察用光学機器。
【請求項６】
前記カテゴリが、場所に関するカテゴリを含むことを特徴とする請求項４に記載の画像表示機能付き観察用光学機器。
【請求項７】
前記カテゴリが、大きさに関するカテゴリを含むことを特徴とする請求項４に記載の画像表示機能付き観察用光学機器。
【請求項８】
前記関連情報ファイルが、鳥の鳴き声の音声ファイルを含むことを特徴とする請求項４に記載の画像表示機能付き観察用光学機器。
【請求項９】
前記観察用光学機器は前記記録媒体を着脱可能に保持する記録媒体装着部を有することを特徴とする請求項１に記載の画像表示機能付き観察用光学機器。
【発明の詳細な説明】
【技術分野】
【０００１】
本発明は、画像表示機能が搭載された観察用光学機器に関する。
【背景技術】
【０００２】
液晶モニタが搭載されたデジタルカメラ機能付き観察用光学機器として、デジタルカメラ機能付双眼鏡が知られている。デジタルカメラ機能付き双眼鏡では、接眼レンズを通して複眼視される映像と略同一の画像を液晶モニタに表示できるとともにデジタル画像として記録可能である。
【特許文献１】特開２００３−１０７３６９号公報
【発明の開示】
【発明が解決しようとする課題】
【０００３】
双眼鏡は、バードウォッチングやスポーツ観戦などに用いられることが多い。バードウォッチングやスポーツ観戦では、鳥、選手といった特定の対象が観察される。このとき双眼鏡利用者は、観察対象を漠然と観察するのではなく、観察対象の種類や個別の名称などを同定することが一般的である。例えばバードウォッチングでは鳥の種類であり、スポーツ観戦ではチーム名や選手の名前である。
【０００４】
本発明は、観察対象に関わる情報を表示可能な画像表示機能付き観察用光学機器を得ることを目的としている。
【課題を解決するための手段】
【０００５】
本発明の画像表示機能付き観察用光学機器は、観察対象物の種々の属性に基づき分類される所定のカテゴリごとに形成された階層ディレクトリ構造を有し、階層ディレクトリの最上位のカテゴリが複数の図鑑に対応したディレクトリとして構成され、観察対象物の種類を特定する第１の画像データからなる参照用データ群が最下位ディレクトリの各々に格納されるとともに、各ディレクトリの各々を表わす第２の画像データからなるガイド用データ群が格納される記録媒体と、画像を表示するための画像表示手段と、手動操作部材の操作に対応して、階層ディレクトリ構造に沿って各ディレクトリを指定してカレントフォルダを移動するカレントフォルダ移動手段と、ガイド用画像データ群の中から、カレントフォルダ移動手段が指定するディレクトリに対応した第２画像を画像表示手段に表示させる一方、設定手段が最下位ディレクトリを指定している場合は、手動操作部材の操作に応じて、その最下位ディレクトリ内に属する参照用データ群を順次読み出して画像表示手段に表示させる第１の制御手段と、図鑑に対応するディレクトリの数を計数する図鑑計数手段と、計数された図鑑の数に基づいて、複数の図鑑に対応する第２の画像データを画像表示手段にマルチ画面として表示するマルチ画面表示手段とを備えたことを特徴としている。
【０００６】
参照用データ群は、第１の画像データに関連する関連情報データを有することが好ましい。観察用光学機器は例えば音声ファイルを再生して発音させる音声再生手段を有するとともに、関連情報データが音声データを有し、手動操作部材により音声データが選択された場合には、制御手段は音声データを音声再生手段により再生させる。
【０００７】
例えば、観察対象物には、鳥または花が含まれ、図鑑として鳥の図鑑または花の図鑑が含まれる。このとき、カテゴリは四季に関するカテゴリや、場所に関するカテゴリ、大きさに関するカテゴリを含むことが好ましい。また、関連情報ファイルとして、例えば鳥の鳴き声の音声ファイルが含まれる。また更に、観察用光学機器は記録媒体を着脱可能に保持する記録媒体装着部を有することが好ましい。
【発明の効果】
【０００８】
以上のように、本発明によれば、観察対象に関わる情報を表示可能な画像表示機能付き観察用光学機器を得ることができる。
【発明を実施するための最良の形態】
【０００９】
以下、本発明の実施の形態を、図面を参照して説明する。
図１は、本発明の一実施形態であるデジタルカメラ機能付き双眼鏡の外観を接眼レンズ側（背面側）から見たときの斜視図である。
【００１０】
双眼鏡１０の背面には、一対の接眼部１１Ｒ、１１Ｌが設けられ、その上面の略中央には、ＬＣＤなどの画像表示装置１２が設けられる。画像表示装置１２の手前（図面１において）には合焦のための転輪１３が設けられる。画像表示装置１２は、パネル状に成形されており、上面と正面の稜線に沿った軸を回転軸に開閉自在である。すなわち、画像表示装置１２が開かれると、画面は背面方向に向けて略直立される。また、画像表示装置１２が閉じられると、画面は双眼鏡１０の上面に臥せられる。なお、撮影用の光学系（図示せず）の合焦動作は、接眼部１１Ｌ、１１Ｒを含む双眼鏡用光学系の合焦動作に連動しており、転輪１３を用いて行なわれる。
【００１１】
双眼鏡１０の上面右手前側にはレリーズスイッチ１４が設けられる。レリーズスイッチ１４の後側（正面より）には、メニュキー１５、ディスプレイボタン１６、及び上下左右方向に対応する４つの矢印キー１７Ｕ、１７Ｄ、１７Ｌ、１７Ｒと、これらに囲まれるＯＫキー１８とが設けられる。また、双眼鏡１０の側面には、メモリカード等の記録媒体を挿入するためのカードスロット１９が設けられる。
【００１２】
図２に、図１のデジタルカメラ機能付き双眼鏡１０の電気的な構成を示すブロック図を示す。
【００１３】
撮影用光学系２０を介して入射された被写体像は、撮像ブロック２１内のＣＣＤなどの撮像素子で結像され、画像信号として検出される。撮像ブロック２１では、検出された画像信号に対してＣＣＤプロセス処理などの所定の信号処理が施される。その後画像信号はキャプチャ回路２２を介してプロセッサ２３に送られる。
【００１４】
キャプチャ回路は、撮像ブロック２１からの画像信号（画像データ）をレリーズスイッチ１４の操作に応じて一時的に保存する回路である。例えば、撮像素子で撮像された画像を画像表示装置１２にシースルー画像として表示する場合には、間引きした画像信号を随時プロセッサ２３に出力し、バスＢＳを介して画像表示装置１２に動画として表示する。レリーズスイッチ１４が操作されると、例えば間引きを行っていない画像データを図示しないメモリに一時的に保存する。
【００１５】
キャプチャ回路２２に保存された画像データは、プロセッサ２３及びバスＢＳを介して画像表示装置１２に静止画像として表示される。なお、撮像ブロック２１、キャプチャ回路２２は、タイミングジェネレータ２４からの同期信号により制御され、タイミングジェネレータ２４は、プロセッサ２３により制御される。また、レリーズスイッチ１４等を含むスイッチ群２５、及びスピーカ３０は、例えばバスＢＳを介してプロセッサ２３に接続される。
【００１６】
また、プロセッサ２３には、Ｉ／Ｏコントロール回路２６が接続され、Ｉ／Ｏコントロール回路２６には、記録媒体制御回路２７が接続される。記録媒体制御回路２７は、ＩＣメモリカード等の記録媒体Ｍが着脱自在に装着される記録媒体装着部２７ａを有しており、記録媒体装着部２７ａに装着された記録媒体Ｍの記憶容量やファイル階層、現在の空き領域を認識するとともに、記録媒体Ｍへのデータの書き込みや、記録媒体Ｍからのデータの読み出しが行なわれる。例えば記録媒体Ｍの空き領域には、撮影され、キャプチャ回路２２に一時的に保存された画像データがプロセッサ２３、Ｉ／Ｏコントロール回路２６、記録媒体制御回路２７を介して書き込まれる。また、例えば記録媒体Ｍに記録されている画像データは、記録媒体制御回路２７、Ｉ／Ｏコントロール回路２６、プロセッサ２３、バスＢＳを介してワークＲＡＭ２８に転送することが可能である。なお、プロセッサ２３は、ＲＯＭ２９に記録されたシステムプログラムに従って駆動される。
【００１７】
次に図３〜図１０を参照して、本実施形態においてプロセッサ２３において実行される参照画像表示処理動作について説明する。
【００１８】
図３は、記録媒体Ｍに形成されたフォルダ（ディレクトリ）の階層構造を例示した図である。図３に示されるように、記録媒体Ｍのルート（ルートディレクトリ）には、フォルダ「ＤＣＩＭ」と、フォルダ「ＧＵＩＤＥ０１」や「ＧＵＩＤＥ０２」など複数のフォルダが存在する。フォルダ「ＤＣＩＭ」は、デジタルスチルカメラで撮影された画像ファイルを格納しておくためのフォルダである。すなわち、プロセッサ２３が、通常のデジタルカメラとしての処理を実行している間（参照画像表示処理動作の起動前）、カレントフォルダは「ＤＣＩＭ」の下にある所定のフォルダにある。そして、撮影画像は記録媒体Ｍの空き領域に、例えばＪＰＥＧ形式の画像データとして記録され、この画像データは「ＤＣＩＭ」フォルダの下にある所定のフォルダ内に格納されたファイルとして管理される。一方、「ＧＵＩＤＥ０１」、「ＧＵＩＤＥ０２」など、「ＧＵＩＤＥ」＋「番号」のフォルダ名で表わされるフォルダは、何らかの分野の電子的な図鑑に対応する。例えば「ＧＵＩＤＥ０１」は「鳥の図鑑」に対応し、フォルダ「ＧＵＩＤＥ０２」は「花の図鑑」に対応する。
【００１９】
鳥や花の図鑑であるフォルダ「ＧＵＩＤＥ０１」、「ＧＵＩＤＥ０２」の下には、例えば「春」、「夏」、「秋」、「冬」の４つの季節に対応したフォルダが存在し、「ＧＵＩＤＥ０１」の「春」、「夏」、「秋」、「冬」のフォルダの下には例えば「山」、「海」、「街」など、観察する場所に対応したフォルダが設けられ、「ＧＵＩＤＥ０２」の「春」、「夏」、「秋」、「冬」のフォルダの下にも同様に例えば「山」、「湿原」、「街」など、観察する場所に対応したフォルダが設けられる。また、「山」、「海」、「街」や「山」、「湿原」、「街」などの場所に対応したフォルダの下には、例えば「大」、「中」、「小」等の鳥や花の大きさに対応するフォルダがそれぞれ設けられる。なお、図３では、フォルダ「春」の下にある「山」、「海」、「街」のフォルダ、または「山」、「湿原」、「街」のフォルダと、「山」の下にある「大」、「中」、「小」のフォルダのみが示されおり、他は省略されている。
【００２０】
「ＧＵＩＤＥ０１」の各季節、各場所のフォルダの下にある大中小のフォルダには、それぞれ季節、場所、大きさで分類された鳥の画像ファイルと、この画像ファイルに関連する情報が含まれるファイルが格納されている。同様に、「ＧＵＩＤＥ０２」の各季節、各場所のフォルダの下にある大中小のフォルダには、それぞれ季節、場所、大きさで分類された花の画像ファイルと、この画像ファイルに関連する情報が含まれるファイルが格納されており、これらのことは「鳥の図鑑」や「花の図鑑」以外の図鑑に対応するフォルダに対しても同様である。したがって、以下においては、「鳥の図鑑」を例に説明を行う。
【００２１】
図４に、「￥ＧＵＩＤＥ０１￥秋￥街￥小」に、格納されているファイルの一例を示す。例えばファイル「ツグミ．ｊｐｇ」は鶫の画像ファイルであり、「ツグミ．ｊｐｅｇ」は、「ツグミ．ｊｐｇ」の画像に鳥の名前等の文字情報を合成した画像ファイルである。また、「ツグミ．ｗａｖ」は、鶫の声を録音した音声データである（花の図鑑などでは不要）。図５（ａ）、（ｂ）に「ツグミ．ｊｐｇ」、「ツグミ．ｊｐｅｇ」の画像の一例を示す。なお、図４には、鶫と鵯に関するファイルのみが示されているが、「￥ＧＵＩＤＥ０１￥秋￥街￥小」には、秋に街で見られる様々な小型の鳥の画像ファイルとその鳥の音声ファイルが格納される。また、四季を通じて見られる鳥や、例えば山でも街でも見られるような鳥に関しては、複数のフォルダに同一のファイルが重複して格納されている。
【００２２】
一方、フォルダ「ＧＵＩＤＥ０１」（鳥の図鑑）には、図６に例示するビットマップデータが格納されている。「ａｒｅａ１．ｂｍｐ」、「ａｒｅａ２．ｂｍｐ」、「ａｒｅａ３．ｂｍｐ」のファイルは、それぞれ「山」、「海」、「街」のフォルダに対応しており、「ｓｅａｓｏｎ１．ｂｍｐ」、「ｓｅａｓｏｎ２．ｂｍｐ」、「ｓｅａｓｏｎ３．ｂｍｐ」、「ｓｅａｓｏｎ４．ｂｍｐ」のファイルは、それぞれ「春」、「夏」、「秋」、「冬」のフォルダに対応している。また、「ｓｉｚｅ１．ｂｍｐ」、「ｓｉｚｅ２．ｂｍｐ」、「ｓｉｚｅ３．ｂｍｐ」のファイルは、それぞれ「大」、「中」、「小」のフォルダに対応し、「ｔｉｔｌｅ．ｂｍｐ」のファイルは、フォルダ「ＧＵＩＤＥ１」（鳥の図鑑）に対応している。
【００２３】
以上のように、フォルダ「ＧＵＩＤＥ０１」の下にある各フォルダには、上述の各ファイルが格納されている。これらは、「鳥の図鑑」に対応する「ＧＵＩＤＥ０２」や「ＧＵＩＤＥ」をフォルダ名の頭に冠し、他の図鑑に対応するフォルダについても同様である。
【００２４】
図７（ａ）〜（ｄ）に、「ＧＵＩＤＥ０１」、「ＧＵＩＤＥ０２」のフォルダに格納されたビットマップデータの一例を示す。左の列は「ＧＵＩＤＥ０１」（鳥の図鑑）に格納されている「ｔｉｔｌｅ．ｂｍｐ」（鳥の図鑑）、「ｓｅａｓｏｎ３．ｂｍｐ」（秋）、「ａｒｅａ３．ｂｍｐ」（街）、「ｓｉｚｅ３．ｂｍｐ」（小）各々のビットマップデータである。また、右の列は「ＧＵＩＤＥ０２」（花の図鑑）に格納されている「ｔｉｔｌｅ．ｂｍｐ」（花の図鑑）、「ｓｅａｓｏｎ２．ｂｍｐ」（秋）、「ａｒｅａ２．ｂｍｐ」（湿原）、「ｓｉｚｅ２．ｂｍｐ」（中）各々のビットマップデータである。なお、上記「ＧＵＩＤＥ０１」、「ＧＵＩＤＥ０２」等のフォルダに格納されるビットマップファイル（ｂｍｐファイル）及び画像ファイル（ＪＰＧまたはＪＰＥＧファイル）の容量は、いずれも画像表示装置１２の表示画素数を満足すればよいので、撮影画像のファイルに比べて非常に小さくて済む。したがって、記録媒体Ｍに関しては、撮影画像を格納するために利用される空き領域を十分に確保できる。
【００２５】
なお、本実施形態では、鳥や花などの画像ファイル（拡張子ＪＰＧのファイル）の他に、同じ鳥や花などの画像に名前の文字情報を合成した画像ファイル（拡張子ＪＰＥＧのファイル）を用意している。これは、画像ファイルの表示を交互に切り替え表示した場合には、視覚的に文字情報のみ表示と非表示が切り替わるように見せ、表示装置上における文字情報と対象物の視認性を共に向上させるためである。
【００２６】
図８〜図１０は、本実施形態の参照画像表示処理動作のプログラムのフローチャートである。この参照画像表示処理動作は、例えばメニュキー１５が所定の時間に渡って長押しされた場合に割込み処理等により開始される。なお、参照画像表示処理動作が実行される前において、プロセッサ２３では、通常のデジタルカメラと同様のプログラムが実行されている。
【００２７】
ステップＳ１０１では、ＩＣメモリカードのルートディレクトリにある「ＤＣＩＭ」以外のフォルダ「ＧＵＩＤＥ＊＊」が検索され、そのフォルダ数が計数されて変数Ｎに格納される。ステップＳ１０２では、変数Ｋと変数Ｊが１に初期設定される。本実施形態では、例えば縦横３×３、すなわち合計９個の「ＧＵＩＤＥ＊＊」のフォルダに対応する「ｔｉｔｌｅ．ｂｍｐ」の縮小画像（サムネイル画像）が配列されて画像表示装置１２にマルチ画面として表示され、変数Ｋはフォルダ「ＧＵＩＤＥ＊＊」の「＊＊」に対応する２桁の番号であり、変数Ｊは、３×３のマルチ画面上における、９個のサムネイル画像の各々に対応する。なお、図１１にマルチ画面の一例を図示する。図１１においてサムネイル画像（１）〜（９）が変数Ｊに対応する。
【００２８】
ステップＳ１０３では、カレントフォルダが「ＧＵＩＤＥ＿Ｋ」のフォルダに変更される（なお、最後の２文字が番号Ｋに対応する「ＧＵＩＤＥ＊＊」フォルダをここで「ＧＵＩＤＥ＿Ｋ」と表す）。本実施形態の場合、「ＧＵＩＤＥ０１」のフォルダは「鳥の図鑑」に対応するので、このプログラムが実行された直後には、カレントフォルダは、「鳥の図鑑」に対応する「ＧＵＩＤＥ０１」に変更される。ステップＳ１０４では、カレントのフォルダである「ＧＵＩＤＥ＿Ｋ」に対応するビットマップデータ「ｔｉｔｌｅ．ｂｍｐ」が例えば作業領域であるワークＲＡＭ２８に読み込まれ、ステップＳ１０５では、読み込まれた「ｔｉｔｌｅ．ｂｍｐ」の画像が３×３のマルチ画面表示用に間引きされ、サムネイル画像に縮小される。また、ステップＳ１０６では、作成されたサムネイル画像が、マルチ画面表示である図１１のサムネイル画像（Ｊ）に対応する領域に表示される。
【００２９】
ステップＳ１０７では、変数Ｊ又は変数Ｋがそれぞれ最大値９、Ｎであるか否かが判定される。変数Ｊ及びＫの何れも最大値に達していない場合には、ステップＳ１０８において、変数Ｋ及び変数Ｊの値が１インクリメントされ、処理はステップＳ１０３に戻り、同様の処理が繰り返される。すなわち、次の「ＧＵＩＤＥ＿Ｋ＋１」のフォルダの「ｔｉｔｌｅ．ｂｍｐ」が読み込まれ、そのサムネイル画像が画像表示装置１２上のマルチ画面の対応領域に表示される。これにより、変数Ｊが最大値である９に達したときには、図１１の領域（１）〜（９）に９個の「ＧＵＩＤＥ＊＊」フォルダに対応するサムネイル画像が表示される。
【００３０】
一方、ステップＳ１０７において、変数Ｊ又は変数Ｋの何れかが最大値９、Ｎに達していると判定された場合には、すなわち、９個のサムネイル画像が全て表示された場合には、ステップＳ１０９において変数Ｊの値が１にリセットされ、ステップＳ１１０において変数Ｉの値が１に初期設定される。変数Ｉは、画像表示装置１２上に表示されたサムネイル画像（１）〜（９）の中から選択される画像（フォルダ又は図鑑）に対応する変数であり、ステップＳ１１１において、現在の変数Ｉの値に基づいてマルチ画面のうち、サムネイル画像（Ｉ）に対応する画像に例えば、その画像（フォルダ又は図鑑）が選択候補とされていることを示す選択枠が表示される。
【００３１】
ステップＳ１１２〜ステップＳ１１５では、順次矢印キー１７Ｒ、１７Ｌ、メニュキー１５、ＯＫキー１８が操作された否かが判定され、その操作内容に応じて所定の処理が行なわれる。すなわち、ステップＳ１１２では、ライトキー１７Ｒが押されたか否かが判定され、ステップＳ１１３ではレフトキー１７Ｌが押されたか否かが判手される。また、ステップＳ１１４では、ＯＫキー１８が押されたかが判定され、ステップＳ１１５ではメニュキー１５が長押しされたか否かが判定される。
【００３２】
ステップＳ１１２でライトキー１７Ｒが操作されたと判定されると、ステップＳ１１６において、変数Ｉの値がその最大値９であるか否かが判定される。変数Ｉが最大値９でないときには、ステップＳ１１７において変数Ｉの値が１インクリメントされ、処理はステップＳ１１１に戻る。すなわち、現在の選択枠の表示がサムネイル画像（Ｉ）からサムネイル画像（Ｉ＋１）に移される。一方、ステップＳ１１６において、Ｉ＝９であると判定されるとステップＳ１１８において変数Ｋの値が最大値Ｎであるか否かが判定される。Ｋ＝Ｎの場合には、再びステップＳ１１１に戻り同様の処理が繰り返される。すなわち、マルチ画面の一番右下のサムネイル画像（９）に選択枠がある状態で、かつ、その画像がルートディレクトリにある最後のフォルダ「ＧＵＩＤＥ＿Ｎ」に対応している場合、ライトキー１７Ｒが押されても、そのときの表示状態が維持される。
【００３３】
一方、ステップＳ１１８において、Ｋ＝Ｎではないと判定されると、ステップＳ１１９において変数Ｋの値が１インクリメントされ、処理はステップＳ１０３に戻る。すなわち、マルチ画面の最後のサムネイル画像（９）に選択枠がある状態で、かつ、その画像がルートディレクトリにある最後のフォルダ「ＧＵＩＤＥ＿Ｎ」でない場合にライトキー１７Ｒが押されると、ステップＳ１０３〜ステップＳ１０８において、フォルダ「ＧＵＩＤＥ＿Ｋ＋１」〜「ＧＵＩＤＥ＿Ｋ＋９」に対応するサムネイル画像がマルチ画面として画像表示装置１２に表示される。
【００３４】
また、ステップＳ１１３において、レフトキー１７Ｌが押されたと判定された場合には、ステップＳ１２０において、変数Ｉの値が１であるか否かが判定される。Ｉ＝１でないときには、ステップＳ１２１において変数Ｉの値が１ディクリメントされ、処理はステップＳ１１１に戻る。すなわち、現在の選択枠の表示がサムネイル画像（Ｉ）からサムネイル画像（Ｉ−１）に移される。ステップＳ１２０において、Ｉ＝１であると判定された場合には、ステップＳ１２２において変数Ｋの値が１であるか否かが判定される。Ｋ＝１の場合には、ステップＳ１１１に戻り同様の処理が繰り返される。すなわち、マルチ画面の左上のサムネイル画像（１）に選択枠がある状態で、かつ、その画像がルートディレクトリにある最初のフォルダ「ＧＵＩＤＥ＿０１」に対応している場合、レフトキー１７Ｌが押されても、そのときの表示状態が維持される。
【００３５】
一方、ステップＳ１２２において、Ｋ＝１ではないと判定されると、ステップＳ１２３において変数Ｋの値がＫ−９に更新され、ステップＳ１２４において変数Ｋの値が０以下であるか否かが判定される。変数Ｋの値が０以下でない場合には、更新されたＫの値（Ｋ−９）でステップＳ１０３〜ステップＳ１０８の処理が繰り返される。すなわち、選択枠がマルチ画面の一番左上のサムネイル画像（１）にあり、そのサムネイル画像に対応するフォルダ「ＧＵＩＤＥ＿Ｋ」よりも番号Ｋの値が小さいフォルダが１０個以上存在する場合に、レフトキー１７Ｌが押されると、Ｋよりも番号の小さい９個のフォルダに対応するサムネイル画像が、ステップＳ１０３〜ステップＳ１０８の繰返しにより各フォルダから読み出され、マルチ画面として画像表示装置１２に表示される。また、ステップＳ１２４において変数Ｋの値が０以下であると判定された場合には、ステップＳ１２５において変数Ｋの値が１にリセットされ、ステップＳ１０３〜ステップＳ１０８の処理が繰り返される。すなわち、選択枠がマルチ画面の一番左上のサムネイル画像（１）にあり、そのサムネイル画像に対応するフォルダ「ＧＵＩＤＥ＿Ｋ」よりも番号Ｋの値が小さいフォルダが９個以下の場合に、レフトキー１７Ｌが押されると、Ｋ＝１〜９のフォルダである「ＧＵＩＤＥ＿０１」〜「ＧＵＤＩＥ＿０９」に対応するサムネイル画像が、ステップＳ１０３〜ステップＳ１０８により各フォルダから読み出され、マルチ画面として画像表示装置１２に表示される。
【００３６】
また、ステップＳ１１４、ステップＳ１１５ではそれぞれＯＫキー１８が押されたか、メニュキー１５が長押しされたか否かが判定される。ＯＫキー１８も押されず、メニュキー１５の長押しもない場合には、ステップＳ１１２以下の処理が繰り返される。一方ＯＫキー１８が押された場合には、ステップＳ１２６に処理が移り、メニュキー１５が長押しされた場合には、この参照画像表示処理動作のプログラムは終了する。
【００３７】
ＯＫキー１８が押され、選択枠が存在するサムネイル画像に対応したフォルダ「ＧＵＩＤＥ＿Ｋ」が選択されると、ステップＳ１２６では、ルートディレクトリにあったカレントフォルダが「ＧＵＩＤＥ＿Ｋ」のフォルダに移され、ステップＳ１２７においてカレントフォルダである「ＧＵＩＤＥ＿Ｋ」に対応する「ｔｉｔｌｅ．ｂｍｐ」の画像が画像表示装置１２に一面表示される。
【００３８】
ステップＳ１２８〜ステップＳ１３２では、それぞれ上下矢印キー１７Ｕ、１７Ｄ、ＯＫキー１８、メニュキー１５が押されたか、またメニュキー１５が長押しされたか否かが判定される。
【００３９】
まず、ステップＳ１２８では、ＯＫキー１８が押された否かが判定され、ＯＫキー１８が押された場合には、ステップＳ１３３において、そのフォルダ内の下位のフォルダに移動し、後述するステップＳ１４０以下の処理が実行される。また、ステップＳ１２９では、アップキー１７Ｕが押された否かが判定され、アップキー１７Ｕが押された場合には、ステップＳ１３４において変数Ｋの値が最大値Ｎであるか否かが判定される。Ｋ＝Ｎではない場合には、ステップＳ１３５において変数Ｋの値が１インクリメントされてステップＳ１２６に戻る。一方、Ｋ＝Ｎの場合には、ステップＳ１３６において変数Ｋの値が１にリセットされて、ステップＳ１２６以下の処理が繰り返される。すなわち、「ＧＵＩＤＥ＿Ｋ」のフォルダに対応する画像が表示された状態で、アップキー１７Ｕが押された場合、「ＧＵＩＤＥ＿Ｋ」よりも大きい番号のフォルダが存在する場合には、「ＧＵＩＤＥ＿Ｋ＋１」のフォルダにカレントフォルダが移動されるとともに、その「ｔｉｔｌｅ．ｂｍｐ」の画像が表示され、「ＧＵＩＤＥ＿Ｋ」のフォルダの番号が最大値Ｎの場合には、「ＧＵＩＤＥ＿０１」のフォルダにカレントフォルダが移動されるとともに、そのフォルダに対応した画像が表示される。
【００４０】
ステップＳ１３０では、ダウンキー１７Ｄが押されたか否かが判定され、ダウンキー１７Ｄが押された場合には、ステップＳ１３７において変数Ｋの値が１であるか否かが判定される。Ｋ＝１ではない場合には、ステップＳ１３８において変数Ｋの値が１ディクリメントされてステップＳ１２６に戻る。一方、Ｋ＝１の場合には、ステップＳ１３９において変数Ｋの値がＮにリセットされて、ステップＳ１２６以下の処理が繰り返される。すなわち、「ＧＵＩＤＥ＿Ｋ」のフォルダに対応する画像が表示された状態で、ダウンキー１７Ｄが押された場合、「ＧＵＩＤＥ＿Ｋ」よりも若い番号のフォルダが存在する場合には、「ＧＵＩＤＥ＿Ｋ−１」のフォルダにカレントフォルダが移動されるとともに、その「ｔｉｔｌｅ．ｂｍｐ」の画像が表示され、「ＧＵＩＤＥ＿Ｋ」のフォルダの番号が最小値である１の場合には、「ＧＵＩＤＥ＿Ｎ」のフォルダにカレントフォルダが移動されるとともに、そのフォルダに対応した画像が表示される。
【００４１】
また、ステップＳ１３１ではメニュキー１５が押されたか否かが判定され、メニュキー１５が押された場合にはステップＳ１０３に戻り、マルチ画面表示が再開される。また更に、ステップＳ１３２では、メニュキー１５が長押しされたか否かが判定され、長押しされた場合には、この参照画像表示処理動作のプログラムは終了する。なお、以上のステップＳ１２８〜ステップＳ１３２の処理は上下矢印キー１７Ｕ、１７Ｄ、ＯＫキー１８、メニュキー１５が押されるか、メニュキー１５が長押しされるまで繰り返される。
【００４２】
次にステップＳ１４０以下の処理について説明する。以下の説明では、「鳥の図鑑」である「ＧＵＩＤＥ０１」のフォルダが選択され場合を例に説明する。すなわち、ステップＳ１２７において、カレントフォルダは「ＧＵＩＤＥ０１」にあり、「鳥の図鑑」の「ｔｉｔｌｅ．ｂｍｐ」が画像表示装置１２上に表示された状態で、ＯＫキー１８が押された場合に対応する。図３に示されるように「ＧＵＩＤＥ０１」の下には、「春」、「夏」、「秋」、「冬」のサブフォルダが存在し、ステップＳ１３３では、その中で最初に検索されるサブフォルダにカレントフォルダが移動される。例えば、サブフォルダの検索順序が図３の順番に従うとき、最初に検索されるのは「春」のフォルダなので、カレントフォルダはステップＳ１３３において「春」のフォルダに移される。ステップＳ１４０では、カレントフォルダに対応する画像、又はファイルが選択されている場合にはカレントファイルに対応する画像が画像表示装置１２に表示されるが、ステップＳ１３３が実行された直後において、カレントフォルダは「春」のフォルダにあるため、このフォルダに対応する「ｓｅａｓｏｎ１．ｂｍｐ」の画像が画像表示装置１２に表示される。
【００４３】
ステップＳ１４１〜ステップＳ１４６では、矢印キー１７Ｕ、１７Ｄ、１７Ｒ、１７Ｌ、メニュキー１５、ＯＫキー１８が操作された否かが判定され、その操作内容に応じて所定の処理（ステップＳ１４７〜Ｓ１５１）が行なわれる。すなわち、ステップＳ１４１では、アップキー１７Ｕが押されたか否かが判定され、ステップＳ１４２ではダウンキー１７Ｄが押されたか否かが判手される。また、ステップＳ１４３では、左右の矢印キー１７Ｌ、１７Ｒが押されたか否かが判定される。また更に、ステップＳ１４４ではメニュキー１５、ステップＳ１４５ではＯＫキー１８が押されたかが判定され、ステップＳ１４６ではメニュキー１５が長押しされたか否かが判定される。
【００４４】
ステップＳ１４１でアップキー１７Ｕが操作されたと判定されると、ステップＳ１４７において、カレントのフォルダが、上位の階層のフォルダに変更され、その後処理はステップＳ１４０に戻り変更されたフォルダに対応する画像を表示する。例えばカレントのフォルダが「￥ＧＵＩＤＥ０１￥秋￥街」の状態では、画像表示装置１２には図７の左列、上から３番目の画像が表示されており、このときにアップキー１７Ｕが操作されると、フォルダは「￥ＧＵＩＤＥ０１￥秋」に変更され、画像表示装置１２には図７の左列、上から２番目の画像が表示される。なお、上位の階層がルートディレクトリのときはフォルダの変更を行わない。
【００４５】
ステップＳ１４２において、ダウンキー１７Ｄが操作されたと判定された場合には、カレントのフォルダの下にあるフォルダが検索され、初めに検索されたフォルダにカレントフォルダは移る。また、下位のフォルダが存在しない場合には、初めに検索されたファイルが選択される。なお、デフォルトでは、「＊＊＊．ｊｐｇ」のファイルが選択されるように設定されている。
【００４６】
ステップＳ１４８において、下位のフォルダまたはファイルが選択されると、ステップＳ１４０において、選択されたフォルダまたはファイルに対応する画像が表示される。例えば、カレントのフォルダが「￥ＧＵＩＤＥ０１￥秋￥街」のときにダウンキー１７Ｄが操作されると、このフォルダの下にある「大」のフォルダが初めに検索され、これに対応するファイル「ｓｉｚｅ１．ｂｍｐ」の画像が画像表示装置１２に表示される。また、カレントのフォルダが「￥ＧＵＩＤＥ０１￥秋￥街￥小」のときにダウンキー１７Ｄが操作されると、このフォルダの下には、フォルダが存在しないので、「＊＊＊．ｊｐｇ」のファイルが検索される。例えば初めに検索されたファイルが「ツグミ．ｊｐｇ」のとき、画像表示装置１２には、図５（ａ）の画像が表示される。
【００４７】
ステップＳ１４３において、左右キー１７Ｌ、１７Ｒが押されたと判定された場合には、ステップＳ１４９において、前のまたは次のフォルダ（またはファイル）が検索される。例えば左キー１７Ｌが押されると、前のフォルダ（またはファイル）が検索され、右キー１７Ｒが押されると、次のフォルダ（またはファイル）が検索される。例えばカレントのフォルダが「￥ＧＵＩＤＥ０１￥秋￥山」のときに右キー１７Ｒが操作されると、カレントフォルダは「￥ＧＵＩＤＥ０１￥秋￥海」に変更される。その後処理は、ステップＳ１４０に戻り「￥ＧＵＩＤＥ０１￥秋￥海」のフォルダに対応する画像が表示される。なお、右キー１７Ｒによるフォルダの変更は、「山」→「海」→「街」→「山」と循環的に行われ、左キー１７Ｌによる変更は、これとは逆に循環的に行われる。また、ファイルに関しても同様であり、左右キー１７Ｌ、１７Ｒにより、選択されるファイルが循環的に変更され、画像表示装置に対応する画像が表示される。
【００４８】
ステップＳ１４４において、メニュキー１５が押されたと判定された場合には、ステップＳ１５０において、ステップＳ１４８又はステップＳ１４９で選択されるファイルの変更が行なわれステップＳ１４０へ戻る。すなわち、デフォルトでは「＊＊＊．ｊｐｇ」のファイルが選択の対象となっているが、メニュキー１５が操作されると、選択対象となるファイルは「＊＊＊．ｊｐｅｇ」に変更される。また、逆に、「＊＊＊．ｊｐｅｇ」のファイルが選択の対象となっているときにメニュキー１５が操作されると、選択対象となるファイルは「＊＊＊．ｊｐｇ」に変更される。例えば、既に「ツグミ．ｊｐｇ」のファイルが選択されているときにメニュキー１５が押されると、選択ファイルが「ツグミ．ｊｐｅｇ」に変更され、画像表示装置１２には、図５（ｂ）の画像が表示される。
【００４９】
ステップＳ１４５において、ＯＫキー１８が押されたと判定されると、ステップＳ１５１において、選択されているファイルに対応する音声ファイルが開かれ、画像表示装置１２に表示された鳥の鳴き声がスピーカ３０（図２参照）から流れるとともに処理はステップＳ１４０へ戻る。例えば、「ツグミ．ｊｐｇ」のファイルが選択されているときにＯＫキー１８が押されると、「ツグミ．ｗａｖ」に録音された鶫の鳴き声が流れる。なお、ファイルが選択されていないときや、音声情報を必要としない図鑑が選択されているときには、このステップでは何も行われない。
【００５０】
ステップＳ１４６において、メニュキー１５が所定の時間に渡り長押しされたと判定されたときには、この参照画像表示処理のプログラムは終了し、通常のデジタルカメラの処理に復帰する。それ以外のときには、ステップＳ１４０以下の処理が繰り返し実行される。
【００５１】
なお、フォルダと画像データファイルとの対応は、例えばフォルダの順番と、ファイルの順番とを対応させて行ってもよいし、フォルダ名とファイル名を対応させて行ってもよい。
【００５２】
以上のように、本実施形態の双眼鏡では、鳥等の観察対象物が種々の属性に基づいて分類されるとともに、各カテゴリが階層的に組み合わされて構成され、これらの階層的な分類にしたがって記録媒体に観察対象物の画像ファイルや音声ファイル等の関連情報を含む関連情報ファイルとが記録されているので、観察時の状況に合わせて、簡便にこれらの画像ファイルや関連情報ファイルを検索し、双眼鏡に搭載された画像表示装置に参照画像として表示できる。したがって、現在観察している対象物と検索された参照画像を簡単に照合することができ、更に、これに付随する音声や名称等の関連情報を参照することができるので、容易に観察対象物の同定、あるいは観察対象物に関連する情報を得ることができる。また、本実施形態によれば、１つの記録媒体に複数の図鑑が並存する場合にも、それらのタイトル画像をマルチ画面として一覧表示し、その中からキー操作により所望の図鑑を簡単に選択することが可能となる。
【００５３】
また、本実施形態では、フォルダの階層構造により、観察対象物の分類を行っているので、極めて簡略な構成で上記検索システムを構成することができ、ユーザが自らデータベースを構築することも容易にできる。
【００５４】
本実施形態では、フォルダに対応する画像は、最上位のフォルダ（ＧＵＩＤＥ＊＊）に全て存在したが、フォルダ各々に、それぞれに対応する画像を配置してもよい。また、本実施形態では、画像ファイルとしてＪＰＥＧやＢＭＰを用い、音声ファイルとしてＷＡＶファイルを用いたが、他の様々な形式の画像ファイル、音声ファイルを用いることができることは言うまでもない。
【図面の簡単な説明】
【００５５】
【図１】本発明の一実施形態であるデジタルカメラ機能付き双眼鏡の外観を示す斜視図である。
【図２】図１に示された双眼鏡の電気的構成を示すブロック図である。
【図３】本実施形態におけるＩＣメモリカードに存在するフォルダ（ディレクトリ）の階層的な構造を示す図である。
【図４】ＩＣメモリカードにおける「￥ＧＵＩＤＥ０１￥秋￥街￥小」のフォルダに配置されたファイルの一例である。
【図５】図４に例示された「ツグミ．ｊｐｇ」及び「ツグミ．ｊｐｅｇ」の画像ファイルの一例である。
【図６】「鳥の図鑑」に対応するフォルダ「ＧＵＩＤＥ０１」に配置され、カレントフォルダに対応して表示される画像ファイル名の一覧である。
【図７】「鳥の図鑑」、「花の図鑑」に対応するフォルダ「ＧＵＩＤＥ０１」、「ＧＵＩＤＥ０２」に格納された画像ファイルの一例である。
【図８】本実施形態における参照画像表示処理動作のプログラムのフローチャートである。
【図９】図８のフローチャートの続きである。
【図１０】図９のフローチャートの続きである。
【図１１】マルチ画面表示の一例である。
【符号の説明】
【００５６】
１０  デジタルカメラ機能付き双眼鏡
１２  画像表示装置（ＬＣＤ）
１５  メニュキー
１７Ｒ、１７Ｌ、１７Ｕ、１７Ｄ  矢印キー
１８  ＯＫキー
１９  カードスロット
２３  プロセッサ
Ｍ  記録媒体（ＩＣメモリカード）
【図１】
2005078039.tif 000003
【図２】
2005078039.tif 000004
【図３】
2005078039.tif 000005
【図４】
2005078039.tif 000006
【図５】
2005078039.tif 000007
【図６】
2005078039.tif 000008
【図７】
2005078039.tif 000009
【図８】
2005078039.tif 000010
【図９】
2005078039.tif 000011
【図１０】
2005078039.tif 000012
【図１１】
2005078039.tif 000013